(57)【要約】【課題】画像表示装置における台形歪み補正による画像の焼き付きを抑制可能な技術を提供する。【解決手段】画像表示装置は、被投写面に画像を表示させる画像表示装置であって、光源部と、入力画像データに基づき変調用画像を形成するための変調用画像形成領域を有して変調用画像を用いて光源部が射出する光を画像光に変調する光変調部と、変調用画像形成領域において入力画像データの表す対象画像の形状を変形させて変調用画像を形成することにより被投写面に表示される画像の台形歪みを補正する台形歪み補正部と、変調用画像形成領域のうち変形後の対象画像が形成される有効画像形成領域を除いた周囲領域の明るさを変化させる明るさ調整部と、を備えている。【選択図】図１
2009223040.tif 000002
【特許請求の範囲】
【請求項１】
被投写面に画像を表示させる画像表示装置であって、
光源部と、
入力画像データに基づき変調用画像を形成するための変調用画像形成領域を有し、前記変調用画像を用いて前記光源部が射出する光を画像光に変調する光変調部と、
前記変調用画像形成領域において前記入力画像データの表す対象画像の形状を変形させて前記変調用画像を形成することにより、前記被投写面に表示される画像の台形歪みを補正する台形歪み補正部と、
前記変調用画像形成領域のうち、変形後の前記対象画像が形成される領域を除いた周囲領域の明るさを変化させる明るさ調整部と、
を備える、画像表示装置。
【請求項２】
請求項１に記載の画像表示装置であって、さらに、
前記入力画像データに基づき、前記対象画像の明るさに関する特徴量を取得する特徴量取得部を備え、
前記明るさ調整部は、前記特徴量に応じて前記周囲領域の明るさを変化させる、画像表示装置。
【請求項３】
請求項２に記載の画像表示装置において、
前記明るさ調整部は、前記特徴量の示す明るさがより明るい場合に、前記周囲領域の明るさをより明るくなるように変化させる、画像表示装置。
【請求項４】
被投射面に画像を表示させる画像表示装置を用いた画像表示方法であって、
前記画像表示装置は、光源部と、入力画像データに基づき変調用画像を形成するための変調用画像形成領域を有し、前記変調用画像を用いて前記光源部が射出する光を画像光に変調する光変調部と、を備えており、
（ａ）前記変調用画像形成領域において前記入力画像データの表す対象画像の形状を変形させて前記変調用画像を形成することにより、前記被投写面に表示される画像の台形歪みを補正する工程と、
（ｂ）前記変調用画像形成領域のうち、変形後の前記対象画像が形成される領域を除いた周囲領域の明るさを変化させる工程と、
を備える、画像表示方法。
【発明の詳細な説明】
【技術分野】
【０００１】
本発明は、被投射面に画像を投写表示させる技術に関し、特に、被投射面上の画像の台形歪みを補正する技術に関する。
【背景技術】
【０００２】
投写型プロジェクタを用いてスクリーンや壁等の被投射面に画像を投写する際に、プロジェクタと被投射面との相対的な位置関係に起因して、被投射面に表示された画像（以下、「表示画像」と呼ぶ）が台形に歪むことがある。このような表示画像の台形歪みを補正する技術として、液晶パネルを用いたプロジェクタにおいて、液晶パネル上に形成する画像を台形状に変形（縮小）させることで、表示画像が矩形となるようにする技術が知られている（下記特許文献１参照）。
【０００３】
【特許文献１】特開２００２−１３５６９０号公報
【発明の開示】
【発明が解決しようとする課題】
【０００４】
上記台形歪み補正において、液晶パネルでは、台形状に変形（縮小）された画像が形成される領域の周りに表示すべき画像が存在しない領域（以下、「周囲領域」と呼ぶ）が生じることとなる。従来、この周囲領域を全白や全黒など特定の一色に固定的に設定していた。しかしながら、このように周囲領域を特定色に設定して一定の明るさのままで長期間投写すると、液晶内部において不純物イオンによる分極が発生するなどして画像の表示の跡が残ってしまい、いわゆる画像の焼き付きが発生するおそれがあった。
【０００５】
なお、上述の問題は、投写型プロジェクタに限らず、リアプロジェクタにおいても発生し得る。また、液晶パネルを用いた画像表示装置に限らず、焼き付きが発生し得る他の画像表示装置（例えば、三管式（ＣＲＴ）プロジェクタ等）においても、台形歪み補正を行う場合に発生し得る。
【０００６】
本発明は、画像表示装置における台形歪み補正による画像の焼き付きを抑制可能な技術を提供することを目標とする。
【課題を解決するための手段】
【０００７】
本発明は、上述の課題の少なくとも一部を解決するためになされたものであり、以下の形態又は適用例として実現することが可能である。
【０００８】
［適用例１］被投写面に画像を表示させる画像表示装置であって、光源部と、入力画像データに基づき変調用画像を形成するための変調用画像形成領域を有し、前記変調用画像を用いて前記光源部が射出する光を画像光に変調する光変調部と、前記変調用画像形成領域において前記入力画像データの表す対象画像の形状を変形させて前記変調用画像を形成することにより、前記被投写面に表示される画像の台形歪みを補正する台形歪み補正部と、前記変調用画像形成領域のうち、変形後の前記対象画像が形成される有効画像形成領域を除いた周囲領域の明るさを変化させる明るさ調整部と、を備える、画像表示装置。
【０００９】
適用例１の画像表示装置は、変調用画像形成領域のうち周囲領域の明るさを変化させるので、周囲領域の明るさが一定の状態を維持することが回避することができ、台形歪み補正による画像の焼き付きを抑制することができる。
【００１０】
［適用例２］請求項１に記載の画像表示装置であって、さらに、前記入力画像データに基づき、前記対象画像の明るさに関する特徴量を取得する特徴量取得部を備え、前記明るさ調整部は、前記特徴量に応じて前記周囲領域の明るさを変化させる、画像表示装置。
【００１１】
このようにすることで、対象画像の明るさに応じて周囲領域の明るさを変化させるので、被投写面において、周囲領域に対応する画像の明るさを対象画像の明るさに応じて変化させることができる。
【００１２】
［適用例３］請求項２に記載の画像表示装置において、前記明るさ調整部は、前記特徴量の示す明るさがより明るい場合に、前記周囲領域の明るさをより明るくなるように変化させる、画像表示装置。
【００１３】
このようにすることで、被投写面において、対象画像の明るさに合わせて周囲領域に対応する画像の明るさを変化させることができる。したがって、例えば、対象画像が非常に暗いのにも関わらず周囲領域に対応する画像が非常に明るくなる等によって、観察者に違和感を与えることを抑制することができる。
【００１４】
［適用例４］被投射面に画像を表示させる画像表示装置を用いた画像表示方法であって、前記画像表示装置は、光源部と、入力画像データに基づき変調用画像を形成するための変調用画像形成領域を有し、前記変調用画像を用いて前記光源部が射出する光を画像光に変調する光変調部と、を備えており、（ａ）前記変調用画像形成領域において前記入力画像データの表す対象画像の形状を変形させて前記変調用画像を形成することにより、前記被投写面に表示される画像の台形歪みを補正する工程と、（ｂ）前記変調用画像形成領域のうち、変形後の前記対象画像が形成される有効画像形成領域を除いた周囲領域の明るさを変化させる工程と、を備える、画像表示方法。
【００１５】
適用例４の画像表示方法では、変調用画像形成領域のうち周囲領域の明るさを変化させるので、周囲領域の明るさが一定の状態を維持することを回避することができ、台形歪み補正による画像の焼き付きを抑制することができる。
【００１６】
なお、本発明は、種々の形態で実現することが可能であり、例えば、上記画像処理方法または画像処理装置の機能を実現するためのコンピュータプログラム、そのコンピュータプログラムを記録した記録媒体、等の形態で実現することができる。
【発明を実施するための最良の形態】
【００１７】
以下、本発明を実施するための最良の形態を実施例に基づいて以下の順序で説明する。
Ａ．第１の実施例：
Ｂ．第２の実施例：
Ｃ．変形例：
【００１８】
Ａ．第１の実施例：
Ａ１．装置構成：
図１は、本発明の第１の実施例における画像表示装置としてのプロジェクタの概略構成を示す説明図である。このプロジェクタ１００は、スクリーンＳｃに画像を投写表示させる投写型プロジェクタである。プロジェクタ１００は、Ａ／Ｄ変換部１０２と、平均輝度検出回路１０４と、台形歪み補正回路１０６と、傾き検出部１０８と、ＣＰＵ１１０と、リモコン制御部１１２と、リモコン１１３と、メモリ１１４と、液晶パネル駆動部１１６と、照明光学系１２２と、透過型の液晶パネル１２４と、投写光学系１２６と、を備えている。
【００１９】
Ａ／Ｄ変換部１０２は、ＤＶＤプレーヤやコンピュータなどの外部機器（図示省略）から入力される映像信号に対して必要に応じてＡ／Ｄ変換を行い、デジタル映像信号ＳＩ１を出力する。なお、以下では、デジタル映像信号ＳＩ１は、ＮＴＳＣ規格の信号であり、１秒間に３０枚のフレーム単位の画像データを示す信号であるものとして説明する。平均輝度検出回路１０４は、入力されたデジタル映像信号ＳＩ１から１フレームごとの平均輝度を検出して、平均輝度信号ＳＩ５を出力する。台形歪み補正回路１０６は、プロジェクタ１００がスクリーンＳｃに画像を投写した際に生じる台形歪みを補正する。台形歪み補正回路１０６は、台形歪み補正を行った後のフレーム画像信号ＳＩ１０と、台形エリア指定信号ＳＩ１１とを出力する。前述の平均輝度信号ＳＩ５及び台形エリア指定信号ＳＩ１１の詳細については後述する。
【００２０】
メモリ１１４には、周囲領域輝度値テーブル１１５が格納されている。また、メモリ１１４には図示しない画像投写制御用プログラムが格納されており、ＣＰＵ１１０は、このプログラムを実行することによって投写制御部１１１として機能することとなる。ＣＰＵ１１０には、前述の平均輝度信号ＳＩ５と台形歪み補正後の映像信号ＳＩ１０と台形エリア指定信号ＳＩ１１とが入力される。投写制御部１１１は、台形歪み補正後の映像信号ＳＩ１０を受信して、コントラストやシャープネス等の調整を行うと共に周囲領域（後述）の明るさの調整を行った上で、変調用画像信号ＳＩ２０を液晶パネル駆動部１１６に供給する。液晶パネル駆動部１１６は、変調用画像信号ＳＩ２０に応じた駆動信号ＳＩ３０を液晶パネル１２４に供給することで液晶パネル１２４を駆動する。
【００２１】
照明光学系１２２は、光源としてのメタルハライドランプ（図示省略）や、リフレクタ（図示省略）などを備え、照明光を液晶パネル１２４に導く。液晶パネル１２４は、液晶パネル駆動部１１６から入力される駆動信号ＳＩ３０に基づいて変調用画像を形成して、この変調用画像によって照明光を変調して画像光を生成する。投写光学系１２６は、図示せざる投写レンズや絞りを有しており、画像光をスクリーンＳｃに向かって射出する。
【００２２】
傾き検出部１０８は、プロジェクタ１００の光軸が水平面となす傾き角度（以下、「傾き角度」と呼ぶ）を検出する。傾き検出部１０８としては、例えば、加速度センサを用いることができる。リモコン制御部１１２は、リモコン１１３を通じたユーザからの指示を受信し、内部バス１１８を介してＣＰＵ１１０に伝える。
【００２３】
上記構成を有するプロジェクタ１００は、スクリーンＳｃに対して垂直に画像光を投写しない場合には台形歪み補正を行い、スクリーンＳｃ上において表示すべき画像が矩形になるようにしている。このとき、プロジェクタ１００では、後述する画像表示処理を実行することで、液晶パネル１２４のうち、台形状に変形された画像の周りに位置する周囲領域において画像の焼き付きが発生しないように構成されている。
【００２４】
なお、前述の液晶パネル１２４は、請求項における光変調部に相当する。また、台形歪み補正回路１０６は請求項における台形歪み補正部に、平均輝度検出回路１０４は請求項における特徴量取得部に、投写制御部１１１は請求項における明るさ調整部に、それぞれ相当する。
【００２５】
Ａ２．画像表示処理：
図２は、プロジェクタ１００において実行される画像表示処理の手順を示すフローチャートである。ユーザがリモコン１１３を用いて映像（画像）を指定して画像投写の実行を指示すると、プロジェクタ１００において画像表示処理が実行される。
【００２６】
ステップＳ１０５では、投写制御部１１１（図１）は、傾き検出部１０８を用いてプロジェクタ１００の傾き角度を取得して、得られた傾き角度を台形歪み補正回路１０６に伝える。ステップＳ１１０では、台形歪み補正回路１０６は、受信した傾き角度に基づき、入力されるフレーム画像について台形歪み補正を実行し、台形歪み補正後のフレーム画像信号ＳＩ１０をＣＰＵ１１０に送信する。
【００２７】
図３（Ａ）は、プロジェクタ１００とスクリーンＳｃとの位置関係の一例を示す説明図である。図３（Ｂ）は、図３（Ａ）に示す位置関係において台形歪み補正前に液晶パネルに形成される変調用画像とスクリーンＳｃに投写される表示画像とを示す説明図である。図３（Ｃ）は、図３（Ａ）に示す位置関係において台形歪み補正後に液晶パネルに形成される変調用画像とスクリーンＳｃに投写される表示画像とを示す説明図である。なお、図３（Ｂ），（Ｃ）では、全白の画像（映像）を投写表示させる場合を例として記載している。また、図３（Ｂ），（Ｃ）では、比較的暗い環境においてスクリーンＳｃに投写した場合を示しており、スクリーンＳｃの被投写面のうち表示画像の周りは暗くなっている。
【００２８】
台形歪み補正回路１０６（図１）は、液晶パネル１２４に形成する変調用画像において、表示すべき画像（以下、「対象画像」とも呼ぶ）の形状を変形させることで台形歪み補正を実行する。具体的には、以下のごとく台形歪み補正を実行する。図３（Ｂ）の例では、台形歪み補正前において、液晶パネル１２４の変調用画像形成領域ＩＦいっぱいに対象画像ＰＦが形成されている。すなわち、対象画像ＰＦがそのまま変調用画像ＰＤ１となっている。ここで、図３（Ａ）に示すように、プロジェクタ１００は、上向きに傾いて投写しておりスクリーンＳｃに対して垂直に投写していない。この場合、スクリーンＳｃ上に投写される表示画像ＰＡ１は、図３（Ｂ）に示すように上底が下底よりも長い台形となる。そこで、台形歪み補正回路１０６は、図３（Ｃ）に示すように、変調用画像形成領域ＩＦにおいて、対象画像の形状を上底が下底よりも短い台形となるように変形（縮小）させる。このとき、変調用画像形成領域ＩＦには、変形後の対象画像ＰＦａの周りに表示すべき画像が存在しない周囲領域ＰＦｂが生じることとなる。すなわち、変形後の対象画像ＰＦａと周囲領域ＰＦｂの画像とで変調用画像ＰＤ２が構成される。このような変調用画像ＰＤ２を用いて投写すると、スクリーンＳｃ上の表示画像ＰＡ２は、変形後の対象画像ＰＦａに対応する表示画像部ＰＡａと周囲領域ＰＦｂの画像に対応する表示画像部ＰＡｂとで構成される。前述のように、変形後の対象画像ＰＦａは上底が短い台形に変形されているので、プロジェクタ１００が上向きに傾いて投写することで表示画像部ＰＡａは矩形となり、表示すべき対象画像は矩形に表示される。なお、前述の変調用画像形成領域ＩＦは、液晶パネル１２４の全面よりも各辺から所定数のドットずつ（例えば２ドットずつ）内側となる矩形領域となっている。液晶パネル１２４の全面における変調用画像形成領域ＩＦの大きさは任意に設定可能である。
【００２９】
ここで、プロジェクタ１００の光軸が水平面となす角度θ（傾き角度θ：図３（Ａ））が大きいほど、スクリーンＳｃにおける台形歪みは大きくなる。そこで、台形歪み補正回路１０６は、傾き角度θに応じて対象画像を変形するようにしている。具体的には、以下のようにして変形する。予め、傾き角度θを変えて投写する実験を行い、各傾き角度θにおいて表示画像が矩形となる際の液晶パネル１２４における対象画像の各頂点の座標を求める。そして、傾き角度θと対象画像の各頂点の座標とを対応付けたテーブル（図示省略）を作成してメモリ１１４に格納しておき、ステップＳ１０５によって得られた傾き角度θに基づき、かかるテーブルを参照して対象画像を変形させる。なお、画像を変形（縮小）させる具体的な方法については、画素補間等の公知の技術（例えば、特開２００２−１３５６９０号公報や特開２００４−１５６４８号公報参照。）を用いて行うことができる。
【００３０】
ステップＳ１１５（図２）では、台形歪み補正回路１０６は、台形歪み補正後のフレーム画像についての台形エリア指定信号ＳＩ１１をＣＰＵ１１０に通知する。「台形エリア指定信号ＳＩ１１」とは、台形歪み補正後のフレーム画像において周囲領域に対応する画像と変形後の対象画像とを特定するための信号である。具体的には、図３（Ｃ）の例では、変形後の対象画像ＰＦａを構成する画素について「０」を、周囲領域ＰＦｂに対応する画像を構成する画素について「１」をそれぞれ示す信号として、台形エリア指定信号ＳＩ１１が構成することができる。
【００３１】
ステップＳ１２０（図２）では、平均輝度検出回路１０４（図１）は、入力されるフレーム画像の平均輝度を算出し、平均輝度信号ＳＩ５としてＣＰＵ１１０に通知する。平均輝度は、各画素についてＲ（赤），Ｇ（緑），Ｂ（青）の各画素値を所定の算出式に代入して輝度値（Ｙ）を求め、全ての画素の輝度値（Ｙ）の平均として求めることができる。なお、この平均輝度は、請求項における「明るさに関する特徴量」に相当する。
【００３２】
ステップＳ１２５では、投写制御部１１１（図１）は、平均輝度検出回路１０４から受信した平均輝度信号ＳＩ５に基づき、周囲領域輝度値テーブル１１５を参照して周囲領域の輝度値を決定する。
【００３３】
図４は、図１に示す周囲領域輝度値テーブル１１５の設定内容を模式的に示す説明図である。図４において横軸はフレーム画像の平均輝度値を示し、縦軸は周囲領域の輝度値を示す。なお、図４の例では、平均輝度値及び周囲領域輝度値を０（暗い）〜２５５（明るい）の２５６段階で表わしている。
【００３４】
プロジェクタ１００では、周囲領域の輝度値は一定ではなく、フレーム画像の平均輝度値に応じて決定するように構成されている。そして、この周囲領域の輝度を決定する際に参照される周囲領域輝度値テーブル１１５では、フレーム画像の平均輝度がより高い場合に、周囲領域の輝度もより高くなるように設定されている。具体的には、平均輝度の増加に伴い周囲領域の輝度が単調増加するように設定されている。従って、例えば、平均輝度値が「１２８」の場合においては周囲領域の輝度値は「５」に設定され、平均輝度値が「２５５」の場合においては周囲領域の輝度値は「１０」に設定されている。
【００３５】
ステップＳ１３０（図２）では、投写制御部１１１（図１）は、台形歪み補正後のフレーム画像のうち、ステップＳ１１５で受信した台形エリア指定信号ＳＩ１１で特定される周囲領域について、ステップＳ１２５で決定した輝度値となるように画素値（Ｒ，Ｇ，Ｂ）に変更して変調用画像データを生成する。そして、投写制御部１１１は、この変調用画像を表わす変調用画像信号ＳＩ２０を液晶パネル駆動部１１６に送信する。
【００３６】
ステップＳ１３５では、液晶パネル駆動部１１６は、受信した変調用画像信号ＳＩ２０に基づき液晶パネル１２４を駆動して、液晶パネル１２４（変調用画像形成領域）に変調用画像を形成して照明光を変調する。そして、上述したように、投写光学系１２６は変調後の画像光をスクリーンＳｃに向かって投写して、スクリーンＳｃ上に画像を表示させる。
【００３７】
ステップＳ１４０では、投写制御部１１１は、全てのフレーム画像について投写済みであるか否かを判定し、投写していないフレームがあれば上述したステップＳ１２０〜Ｓ１４０を改めて実行する。そして、全てのフレーム画像の投写が済むと画像表示処理は終了する。なお、１フレームごとに又は所定フレーム数ごとに、ステップＳ１０５に戻るように構成することもできる。このようにすることで、投写中にプロジェクタ１００とスクリーンＳｃとの位置関係が変わったとしても台形歪み補正を適切に実行することができる。
【００３８】
図５は、画像表示処理を実行した際の、対象画像の平均輝度値と周囲領域の輝度値との一例を示す説明図である。図５において横軸は時刻を示し、縦軸は輝度値を示す。なお、説明の便宜上、輝度値は、０（暗い）〜２５５（明るい）の２５６段階であるものとする。図５に示すように、対象画像の平均輝度は映像（コンテンツ）の内容に応じて、時間の経過と共に変化している。上述したように、周囲領域の輝度値は、対象画像の平均輝度が高いほど高くなるように変化する。したがって、図５に示すように、対象画像の平均輝度値の変化に従って周囲領域の輝度値も変化している。
【００３９】
以上説明したように、第１の実施例のプロジェクタ１００では、周囲領域の輝度値は一定ではなく、対象画像の平均輝度に応じて変化する。したがって、台形歪み補正を行った状態で長期間にわたって画像を投写表示させても、液晶パネル１２４における周囲領域の画像の焼き付きを抑制することができる。また、プロジェクタ１００では、対象画像の平均輝度がより高い場合には周囲領域の輝度をより高くするように構成されている。したがって、スクリーンＳｃ上における表示画像において、対象画像（コンテンツの内容）の明るさに合わせて周囲領域に対応する画像の明るさを変化させることができる。したがって、例えば、対象画像が非常に暗いにも関わらず周囲領域に対応する画像が非常に明るくなる等によって、観察者に違和感を与えることを抑制することができる。
【００４０】
Ｂ．第２の実施例：
図６は、第２の実施例における周囲領域の輝度値の時間変化を模式的に示す説明図である。図６において、横軸は画像表示処理の開始時点からの経過時間（時刻）を示し、縦軸は周囲領域の輝度値を示す。第２の実施例のプロジェクタは、周囲領域の輝度値の決定方法においてプロジェクタ１００（図１）と異なり、他の構成は第１の実施例と同じである。第２の実施例のプロジェクタでは、周囲領域の輝度値を、フレーム画像の平均輝度値に関わらず所定の周期で変化させるように構成されている。
【００４１】
具体的には、投写制御部１１１は、時刻０から時刻３０（秒）までの期間では、周囲領域の輝度値を、輝度値０〜１０の範囲で単調増加するように決定する。そして、時刻３０（秒）から時刻６０（秒）までの期間では、周囲領域の輝度値を、輝度値１０〜０の範囲で単調減少するように決定する。そして、投写制御部１１１は、前述の時刻０〜６０（秒）までの変化を、１分周期で繰り返すように周囲領域の輝度値を決定する。
【００４２】
以上の構成を有する第２の実施例のプロジェクタにおいても、周囲領域の輝度は一定でなく変化するので、周囲領域の画像の焼き付きを抑制することができる。なお、第１及び第２の実施例からも理解できるように、周囲領域の輝度（明るさ）を調整可能な任意の構成を、本発明の画像表示装置において採用することができる。
【００４３】
Ｃ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００４４】
Ｃ１．変形例１：
上述した第１の実施例では、周囲領域の輝度値は、平均輝度値の増加に伴い単調増加（比例増加）するものであったが（図４参照）、本発明はこれに限定されるものではない。例えば、平均輝度値の増加に伴い指数的に増加する構成とすることもできる。また、平均輝度値の増加に伴い単調減少する構成とすることもできる。また、平均輝度値の増加に伴い離散的に増加する構成とすることもできる。
【００４５】
図７は変形例における周囲領域輝度値テーブル１１５の設定内容の一例を模式的に示す説明図である。図７において横軸及び縦軸は、図４における横軸及び縦軸と同じである。図７の例では、周囲領域の輝度値は、フレーム画像の平均輝度値が増加するのに従って離散的（階段状）に増加している。かかる構成においても、対象画像の輝度に応じて周囲領域の輝度が変化するので、液晶パネル１２４において周囲領域の画像が焼き付いてしまうことを抑制することができる。また、図７に示す周囲領域輝度値テーブルにおける周囲領域の輝度値の傾向も、大局的に見れば図４に示す第１の実施例における周囲領域の輝度値の傾向に近似している。したがって、対象画像が非常に暗いような場合に周囲領域が比較的明るくなる等、周囲領域が強調され観察者に違和感を与えることを抑えることができる。
【００４６】
Ｃ２．変形例２：
上述した第１の実施例では、プロジェクタ１００は、スクリーンＳｃに対して垂直に投写しておらず上向きに傾いて投写していたが、他の方向に傾いて投写する場合においても本発明を適用することができる。また、第１の実施例では、傾き検出部１０８として加速度センサを用いるものとしたが、加速度センサに代えて、投写画像を撮像して得られた画像の形状にもとづき傾き角度を求める回路等を用いることができる。なお、投写画像を撮像して得られた画像の形状にもとづき傾き角度を求める方法としては、公知の技術を用いることができる（例えば、特開２００６−６０４４７号公報参照）。
【００４７】
Ｃ３．変形例３：
上述した第１の実施例では、周囲領域の輝度値は、周囲領域輝度値テーブル１１５を参照して決定していたが、周囲領域輝度値テーブル１１５に代えて、所定の算出式（例えば、周囲領域輝度値＝フレーム画像の平均輝度値×０．０５など）を用いて算出して決定することもできる。また、上述した第１の実施例では、周囲領域の輝度値は、フレーム画像の平均輝度値に応じて決定していたが、平均輝度値に代えて、最小輝度値や最大輝度値など、そのフレーム画像の輝度を特徴付ける値に応じて決定することもできる。また、輝度値（Ｙ）に代えて、Ｒ，Ｇ，Ｂのいずれかの画素値に応じて決定することもできる。例えば、各画素のＧの画素値の平均値を求め、その平均値に応じて決定することもできる。ここで、Ｇ（緑）の画素値は画像の明るさに比較的大きく貢献する。それゆえ、Ｇの画素値の平均値に基づき周囲領域の輝度値を決定することで、フレーム画像の明るさに応じて周囲領域の輝度値を決定することが可能となる。以上の実施例及び変形例からも理解できるように、対象画像の明るさに関する任意の特徴量に応じて周囲領域の輝度（明るさ）を変化させる構成を、本発明の画像表示装置において採用することができる。
【００４８】
Ｃ４．変形例４：
上述した各実施例では、液晶パネル１２４は透過型の液晶パネルであったが、透過型液晶パネルに代えて、反射型液晶パネル（ＬＣＯＳ：Liquid crystal on silicon）を用いることもできる。また、上述した各実施例では、画像表示装置の例として液晶パネルを備えるプロジェクタ１００について説明したが、液晶パネルを用いない三管式（ＣＲＴ）プロジェクタにも本発明を適用することもできる。また、プロジェクタに限らずリアプロジェクションＴＶや、プラズマディスプレイ等の画像表示装置についても本発明を提供することができる。すなわち、一般には、台形歪み補正を行う任意の画像表示装置について本発明を適用することができる。
【００４９】
Ｃ５．変形例５：
上述した実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【００５０】
【図１】本発明の第１の実施例における画像表示装置としてのプロジェクタの概略構成を示す説明図である。
【図２】プロジェクタ１００において実行される画像表示処理の手順を示すフローチャートである。
【図３】プロジェクタ１００とスクリーンＳｃとの位置関係の一例を示す説明図及び台形歪み補正の前後において液晶パネルに形成される変調用画像とスクリーンＳｃに投写される表示画像とを示す説明図である。
【図４】図１に示す周囲領域輝度値テーブル１１５の設定内容を模式的に示す説明図である。
【図５】画像表示処理を実行した際の対象画像の平均輝度値と周囲領域の輝度値との一例を示す説明図である。
【図６】第２の実施例における周囲領域の輝度値の時間変化を模式的に示す説明図である。
【図７】変形例における周囲領域輝度値テーブル１１５の設定内容の一例を模式的に示す説明図である。
【符号の説明】
【００５１】
１００…プロジェクタ、１０４…平均輝度検出回路、１０６…台形歪み補正回路、１０８…傾き検出部、１１０…ＣＰＵ、１１１…投写制御部、１１２…リモコン制御部、１１３…リモコン、１１４…メモリ、１１５…周囲領域輝度値テーブル、１１６…液晶パネル駆動部、１１８…内部バス、１２２…照明光学系、１２４…液晶パネル、１２６…投写光学系、ＳＩ１…デジタル映像信号、ＳＩ５…平均輝度信号、ＳＩ１０…映像信号、ＳＩ１１…台形エリア指定信号、ＳＩ２０…変調用画像信号、ＳＩ３０…駆動信号、Ｓ１０５…ステップ、Ｓ１１０…ステップ、Ｓ１１５…ステップ、ＩＦ…変調用画像形成領域、ＰＦ…対象画像、Ｓｃ…スクリーン、ＰＡ１，ＰＡ２…表示画像、ＰＤ１，ＰＤ２…変調用画像、ＰＡａ，ＰＡｂ…表示画像部、ＰＦａ…対象画像、ＰＦｂ…周囲領域
【図１】
2009223040.tif 000003
【図２】
2009223040.tif 000004
【図３】
2009223040.tif 000005
【図４】
2009223040.tif 000006
【図５】
2009223040.tif 000007
【図６】
2009223040.tif 000008
【図７】
2009223040.tif 000009